(57)【要約】【課題】出先でディジタルカメラにより撮影された画像のプリントを移動時間内に入手できるようにする（ネットワークを用いたプリントシステムの活用シーンの多角化）。【解決手段】出発地カウンタに持ち込まれたディジタルカメラから生成したインデックスプリントに基づき選択指定されるプリント画像、およびその必要枚数と画像データとからなる注文情報を受け、到着地カウンタで引き渡す画像プリントの印刷を制御する画像プリント受付管理装置３に、前記注文情報と、搭乗券に記録された便名データとを前記出発地カウンタのカウンタ端末１から受信し、この便名データから取得される到着地と到着時刻に合わせて該注文情報に従う画像プリントを必要枚数印刷するよう前記到着地カウンタのカウンタ端末１に指示する運行システム連携部３０を備えた。【選択図】      図２
2004318213.tif 000002
【特許請求の範囲】
【請求項１】
出発地カウンタ及び到着地カウンタのカウンタ端末とネットワークを介して接続され、出発地カウンタに持ち込まれたディジタルカメラから生成したインデックスプリントに基づき選択指定されるプリント画像、およびその必要枚数と画像データとからなる注文情報を受け、到着地カウンタで引き渡す画像プリントの印刷を制御する画像プリント受付管理装置であって、
前記注文情報と、搭乗券に記録された便名データとを前記出発地カウンタのカウンタ端末から受信し、この便名データから取得される到着地と到着時刻に合わせて該注文情報に従う画像プリントを必要枚数印刷するよう前記到着地カウンタのカウンタ端末に指示する運行システム連携部、
を備えたことを特徴とする画像プリント受付管理装置。
【請求項２】
前記運行システム連携部は、
前記インデックスプリントに基づき選択指定される、プリント画像、およびその必要枚数と画像データとからなる注文情報を前記出発地カウンタのカウンタ端末から受信する画像プリント注文情報受信部と、
前記搭乗券に記録された便名データを前記出発地カウンタのカウンタ端末から受信し、この便名データから少なくとも到着地と到着時刻に関するデータを取得する運行情報取得部と、
前記取得した到着地と到着時刻に合わせて、前記注文情報に従う画像プリントを必要枚数印刷するよう前記到着地カウンタのカウンタ端末に指示する画像プリント部と、
を備えたことを特徴とする請求項１に記載の画像プリント受付管理装置。
【請求項３】
運行状況の変更に伴う、前記到着地、到着時刻の変更を取り込み、前記画像プリント部が画像プリントの印刷を指示する引渡し地、引渡し時間に反映させる運行状況変更反映部と、
を備えたことを特徴とする請求項２に記載の画像プリント受付管理装置。
【請求項４】
ディジタルカメラで撮影された画像のプリント注文を、ネットワークを介して行う画像プリント受付管理方法であって、
出発地カウンタに持ち込まれたディジタルカメラから生成したインデックスプリントに基づき選択指定されるプリント画像、およびその必要枚数と画像データとからなる注文情報を、ネットワークを介して接続される該出発地カウンタのカウンタ端末から受信する工程と、
搭乗券に記録された便名データを前記出発地カウンタのカウンタ端末から受信し、この便名データから取得される到着地と到着時刻に合わせて前記注文情報に従う画像プリントを必要枚数印刷するようネットワークを介して接続される到着地カウンタのカウンタ端末に指示する工程と、
を備えたことを特徴とする画像プリント受付管理方法。
【請求項５】
画像プリント受付管理装置に用いられる画像プリント受付管理プログラムであって、
出発地カウンタに持ち込まれたディジタルカメラから生成したインデックスプリントに基づき選択指定されるプリント画像、およびその必要枚数と画像データとからなる注文情報を該出発地カウンタのカウンタ端末から受信するステップと、
搭乗券に記録された便名データを前記出発地カウンタのカウンタ端末から受信し、この便名データから取得される到着地と到着時刻に合わせて前記注文情報に従う画像プリントを必要枚数印刷するよう到着地カウンタのカウンタ端末に指示するステップと、
をコンピュータに実行させる画像プリント受付管理プログラム。
【発明の詳細な説明】
【０００１】
【発明の属する技術分野】
本発明は、ディジタルカメラで撮影された画像のプリント注文を、ネットワークを介して行うプリントシステムに用いて好適な、画像プリント受付管理装置および方法、ならびに画像プリント受付管理プログラムに関する。
【０００２】
【従来の技術】
ディジタルカメラで撮影された画像のプリント注文を、ネットワークを介して簡単に行うプリントシステムが知られている（特許文献１参照）。
具体的には、画像データを撮影記録するディジタルカメラが固有の識別情報を記憶する記憶手段を備えており、センタサーバに画像をアップロードするプリント受付処理装置がディジタルカメラの識別情報と画像データとを関連付けることによって印刷を管理する。
【０００３】
【特許文献１】
特開２００２−１６５１５９号公報
【０００４】
【発明が解決しようとする課題】
ところで、上記したプリントシステムによれば、注文はオンラインで行われても、プリント、あるいはその記録媒体の引渡しはオフラインで実行され、通常、利用者が取次店に出向くことにより、受付ＩＤと引き換えに行われる。
一方、ディジタルカメラの普及と共に出先で写真を撮影する機会が増え、特に、グループ旅行等においては撮影した画像の中から必要なものの焼き増し（画像プリント）を行い、移動時間内に各人に配布したいといった要求が生じる。このような要求は上記したプリントシステムでは対応できない。
【０００５】
本発明は上記事情に鑑みてなされたものであり、注文に従う画像プリントを、運行システムと連携することによって取得される搭乗者の到着地と到着時間に合わせて行い搭乗者に引き渡す仕組みを構築することにより、活用シーンの多角化をはかった、画像プリント受付管理装置および方法、ならびに画像プリント受付管理プログラムを提供することを目的とする。
【０００６】
【課題を解決するための手段】
上記した課題を解決するために本発明は、出発地カウンタ及び到着地カウンタのカウンタ端末とネットワークを介して接続され、出発地カウンタに持ち込まれたディジタルカメラから生成したインデックスプリントに基づき選択指定されるプリント画像、およびその必要枚数と画像データとからなる注文情報を受け、到着地カウンタで引き渡す画像プリントの印刷を制御する画像プリント受付管理装置であって、前記注文情報と、搭乗券に記録された便名データとを前記出発地カウンタのカウンタ端末から受信し、この便名データから取得される到着地と到着時刻に合わせて該注文情報に従う画像プリントを必要枚数印刷するよう前記到着地カウンタのカウンタ端末に指示する運行システム連携部、を備えたことを特徴とする画像プリント受付管理装置である。
【０００７】
本発明によれば、運行システム連携部が、改札時、搭乗券に記録された便名データから取得される到着地と到着時刻に合わせて注文情報に従う画像プリントを必要枚数、到着地カウンタのカウンタ端末に印刷させ、搭乗者に引き渡すことにより、ネットワークを使ったプリントシステムの活用シーンの多角化が実現され、このとき、搭乗者は、出先でディジタルカメラにより撮影された画像のプリントを移動時間内に入手できる。
【０００８】
また、本発明において、前記運行システム連携部は、前記インデックスプリントに基づき選択指定される、プリント画像、およびその必要枚数と画像データとからなる注文情報を前記出発地カウンタのカウンタ端末から受信する画像プリント注文情報受信部と、前記搭乗券に記録された便名データを前記出発地カウンタのカウンタ端末から受信し、この便名データから少なくとも到着地と到着時刻に関するデータを取得する運行情報取得部と、前記取得した到着地と到着時刻に合わせて、前記注文情報に従う画像プリントを必要枚数印刷するよう前記到着地カウンタのカウンタ端末に指示する画像プリント部と、を備えたことを特徴とする。
【０００９】
本発明によれば、運行情報受信部が、搭乗券に記録された便名データから取得した到着地と到着時刻に合わせ、画像プリント部に対して、画像プリント注文受信部で受信した注文情報に従う画像プリントの印刷指示を行うよう指示することで、出先でディジタルカメラにより撮影された画像のプリントを移動時間内に入手できる画像プリント受付管理装置を提供できる。
【００１０】
また、本発明において、運行状況の変更に伴う、前記到着地、到着時刻の変更を取り込み、前記画像プリント部が画像プリントの印刷を指示する引渡し地、引渡し時間に反映させる運行状況変更反映部と、を備えたことを特徴とする。
【００１１】
本発明によれば、運行状況変更反映部が、運行機関による運行状況の変更に伴う、到着地、到着時刻の変更を取り込み、画像プリント部が画像プリントの印刷を指示する引渡し地、引渡し時間に反映させることで、到着地、到着時間の変更に影響されずに出先でディジタルカメラにより撮影された画像のプリントを移動時間内に入手できる画像プリント受付管理装置を提供できる。
【００１２】
上記した課題を解決するために本発明は、ディジタルカメラで撮影された画像のプリント注文を、ネットワークを介して行う画像プリント受付管理方法であって、出発地カウンタに持ち込まれたディジタルカメラから生成したインデックスプリントに基づき選択指定されるプリント画像、およびその必要枚数と画像データとからなる注文情報を、ネットワークを介して接続される該出発地カウンタのカウンタ端末から受信する工程と、搭乗券に記録された便名データを前記出発地カウンタのカウンタ端末から受信し、この便名データから取得される到着地と到着時刻に合わせて前記注文情報に従う画像プリントを必要枚数印刷するようネットワークを介して接続される到着地カウンタのカウンタ端末に指示する工程と、を備えたことを特徴とする画像プリント受付管理方法である。
【００１３】
本発明によれば、改札時、搭乗券に記録された便名データから取得される到着地と到着時刻に合わせて注文情報に従う画像プリントを到着地において必要枚数印刷して搭乗者に引き渡すことにより、ネットワークを使ったプリントシステムの活用シーンの多角化が実現され、このとき、搭乗者は、出先でディジタルカメラにより撮影された画像のプリントを移動時間内に入手できる。
【００１４】
上記した課題を解決するために本発明は、画像プリント受付管理装置に用いられる画像プリント受付管理プログラムであって、出発地カウンタに持ち込まれたディジタルカメラから生成したインデックスプリントに基づき選択指定されるプリント画像、およびその必要枚数と画像データとからなる注文情報を該出発地カウンタのカウンタ端末から受信するステップと、搭乗券に記録された便名データを前記出発地カウンタのカウンタ端末から受信し、この便名データから取得される到着地と到着時刻に合わせて前記注文情報に従う画像プリントを必要枚数印刷するよう到着地カウンタのカウンタ端末に指示するステップと、をコンピュータに実行させる画像プリント受付管理プログラムである。
【００１５】
本発明によれば、上記した画像プリント受付管理プログラムをコンピュータに実行させることにより、改札時、搭乗券に記録された便名データから取得される到着地と到着時刻に合わせて注文情報に従う画像プリントを到着地において必要枚数印刷して搭乗者に引き渡すことで、ネットワークを使ったプリントシステムの活用シーンの多角化が実現され、このとき、搭乗者は、出先でディジタルカメラにより撮影された画像のプリントを移動時間内に入手できる。
【００１６】
【発明の実施の形態】
図１は、本発明の画像プリント受付管理装置が使用する通信インフラストラクチャの構成を説明するために引用した図である。
図１において、１はカウンタ端末であり、ここでは、空港の出発地カウンタ、到着地カウンタのそれぞれに設置され、いずれも、搭乗券リーダおよび写真プリンタ、ＣＤ発行機を周辺機器として備えたパソコンとする。２は、通信網としてのＩＰ（Ｉｎｔｅｒｎｅｔ  Ｐｒｏｔｏｃｏｌ）網であり、後述する画像プリント受付管理装置が展開され実装されるサーバ３とは、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）により接続される。４は、航空機の運行情報を管理する運行システムであり、ＩＰ網（ネットワーク）２を介してサーバ３と接続される。
【００１７】
画像プリント受付管理装置３は、ここでは、搭乗券に記録された便名データから取得される到着地と到着時刻に合わせて、注文情報に従う画像プリントを必要枚数印刷するよう到着地カウンタに設置されたカウンタ端末１に指示する運行システム連携部３０を中心に構成される。
運行システム連携部３０は、図２にその機能が展開して示されるように、画像プリント注文情報受信部３１と、運行情報取得部３２と、画像プリント部３３と、運行状況変更反映部３４と、画像データＤＢ３５とで構成される。
【００１８】
画像プリント注文情報受信部３１は、インデックスプリントに基づき選択指定されるプリント画像、およびその必要枚数と画像データ、ならびに、画像データを記録したＣＤの注文の有無からなる注文情報を出発地カウンタのカウンタ端末１から受信し、画像プリント部３３へ供給する機能を持つ。
運行情報取得部３２は、搭乗券に記録された便名データから、少なくとも到着地と到着時刻に関するデータを運行システム４から取得して画像プリント部３３へ供給するする機能を持つ。
画像プリント部３３は、取得した到着地と到着時刻に合わせて、注文情報に従う画像プリントを必要枚数印刷するとともに、画像データを記録したＣＤを発行するよう到着地カウンタのカウンタ端末１へ指示する機能を持つ。
運行状況変更反映部３４は、運行機関による運行状況の変更に伴う、到着地、到着時刻の変更を取り込み、画像プリント部３３が画像プリントの印刷及びＣＤの発行を指示する引渡し地（到着地）、引渡し時間に反映させる機能を持つ。
なお、画像データＤＢ３５には、利用客によって持ち込まれたディジタルカメラにより撮影された画像データが格納される。
【００１９】
図３は、本発明実施形態の動作を説明するために引用したフローチャートであり、具体的には、本発明の画像プリント受付管理プログラムの処理手順を示す。
以下、図３に示すフローチャートを参照しながら図１、図２に示す本発明実施形態の動作について説明する。
【００２０】
まず、カウンタ職員は、出発地カウンタでカウンタ端末１を操作することにより、利用客によって持ち込まれたディジタルカメラにより撮影された画像データを取込み、そのインデックスプリントを生成出力する（ステップＳ３１）。
ここで生成出力されたインデックスプリントは、搭乗者である利用客に配られ、出発を待つ間に、注文情報としての焼き増し画像（プリント画像）、およびその枚数の選択指定、画像データを記録したＣＤの注文を待つ。ここで選択指定された内容及び利用客（搭乗者）が利用する便名データは、出発地において、利用客が改札の際カウンタ職員に搭乗券を提示したとき、カウンタ職員がカウンタ端末１を操作することにより画像プリント受付管理装置３によって取込まれる（ステップＳ３２Ｙｅｓ、ステップＳ３３）。
【００２１】
画像プリント受付管理装置３の画像プリント注文情報受信部３１は注文情報（画像データ、プリント画像およびその枚数、ＣＤの注文の有無）を、また、運行情報受信部３２は搭乗券に記載された便名データを出発地のカウンタ端末１から取り込む。運行情報受信部３２は、便名データを基に、運行システム４からその運行情報（到着地、到着時間）を取込み（ステップＳ３４）、それぞれ、画像プリント部３３に供給する。
画像プリント部３３は、取得した到着地と到着時刻からなる運行情報に合わせ、到着時間内に注文情報に従う画像プリントを必要枚数印刷するよう、到着地カウンタのカウンタ端末１へ指示する（ステップＳ３５、ステップＳ３６）。なお、ＣＤの注文が有りの場合には、同時にＣＤの発行を指示する。そして、利用客から到着地カウンタで引渡し要求があったときに（ステップＳ３７Ｙｅｓ）、搭乗券に基づく利用客認証を行い、認証が得られたときに、到着地のカウンタ端末１が印刷出力した画像プリントと、注文に応じて画像データが記録されたＣＤとを配布する（ステップＳ３８）。なお、ＣＤの他、フレキシブルディスク、メモリカードなど他の可搬のコンピュータ読み取り可能な記録媒体に画像データを記憶し、配布してもよい。
【００２２】
なお、運行状況変更反映部３４は、飛行機の進み、遅れ、空港の混み具合等、運行状況の変更に伴って発生する、到着地、到着時刻の変更を運行システム４から取り込み、画像プリント部３３による印刷の引渡し地、引渡し時間に反映させる（ステップＳ３４）。このため、到着地、到着時間の変更に影響されずに出先でディジタルカメラにより撮影された画像のプリントをその記録媒体と共に移動時間内に入手できる。
【００２３】
以上説明のように本発明によれば、注文に従う画像プリントを、運行システムと連携することによって取得される利用者（搭乗者）の到着地と到着時間に合わせて行い、利用者（搭乗者）に引き渡す仕組みを構築することにより、活用シーンの多角化をはかることができる。
また、利用者（搭乗者）は、正常運行時は勿論のこと、刻々変化する運行状況に伴う、到着地、到着時刻の変更を取り込み、利用者（搭乗者）に対する画像プリントの引渡し地、引渡し時間に反映させることで、到着地、到着時間の変更に影響されずに出先でディジタルカメラにより撮影された画像のプリントを、その記録媒体と共に移動時間内に入手できる。
なお、上記した本発明実施形態では、飛行機による移動を例示したが、他に、船舶や列車による移動についても同様に応用が可能であり、本発明を実施するにあたり、いずれの場合においてもそれぞれの移動手段が持つ運行システムと連携し、運行システムから少なくとも、到着地と到着時間に関する情報を取得できることが前提となる。
【００２４】
また、図２に示す、画像プリント注文情報受信部３１と、運行情報取得部３２と、画像プリント部３３と、運行状況変更反映部３４のそれぞれで実行される手順をコンピュータ読み取り可能な記録媒体に記録し、この記録媒体に記録されたプログラムをコンピュータシステムに読み込ませ、実行することにより本発明の画像プリント受付管理装置が実現されるものとする。ここでいうコンピュータシステムとは、ＯＳや周辺機器等のハードウェアを含むものである。
【００２５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００２６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００２７】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【図１】本発明が採用される通信システムの構成例を示す図である。
【図２】本発明の実施形態の構成を示すブロック図である。
【図３】本発明実施形態の動作を示すフローチャートである。
【符号の説明】
１…カウンタ端末、２…ＩＰ網（通信網）、３…画像プリント受付管理装置（サーバ）、３０…運行システム連携部、３１…画像プリント注文情報受信部、３２…運行情報取得部、３３…画像プリント部、３４…運行状況変更反映部、３５…画像データＤＢ、４…運行システム
【図１】
2004318213.tif 000003
【図２】
2004318213.tif 000004
【図３】
2004318213.tif 000005